(57)【要約】【課題】清掃後にモップの洗浄が不要で、手袋の着用も不要であり、清掃後は使い捨てが可能なハンディモップを提供する。【解決手段】モップの基層は二層の不織布材料を畳合し、熱溶融により固定される。基層は、熱溶融時、中央に対称に複数の開口を備え、その間は不織布が連接し、基層外周両側に複数の切り込み体を形成する。複数の繊維ヒダは数段の繊維束で構成され、払拭底層も不織布からなり、熱溶融で繊維ヒダ下層に固定され、両外側縁に複数の切り込み体を有す。握持柄は握持部を設け、握持柄一端に係合部を備え、その前端は係合柱を形成し、もう一端は凹槽を有する。二股状の支承柄は凸部を設け、係合部に合わせて型槽が形成される。その上に斜槽が設けられ、その下部は、係合柱に穿接される二つの通孔を設け、型槽の一端は凹槽に対応する凸点が固設される。握持柄と二股状の支承柄により本体を形成し、モップに穿入した後、不織布は展開し、凸部により、モップの施力作用面が固定される。【選択図】図８
0003103720.tif 000002
【実用新案登録請求の範囲】
【請求項１】
二層の不織布材料を畳合して熱溶融により固定し、本体に取り付けるための差込空間を備え、この差込空間の終点は封止されて、前記本体を差し込むとき、差込がそこで終了するようになっていて、前記熱溶融時、中央に対称に複数の開口を備え、この各開口間は不織布が連接し、その外周両側に、複数の切り込み体を形成したモップの基層と、
数段の繊維束により構成され、熱溶融により前記基層の下層に固定され、前記繊維束はもつれず、払拭するのが容易である複数の繊維ヒダと、
不織布からなり、熱溶融後、前記繊維ヒダの下層に固定され、両外側縁に複数の切り込み体を備えている払拭底層と、
握持部、横線の入った粗面、末端に吊掛用となる孔を設け、前記孔の反対側には、係合部を備え、この係合部の前端は係合柱を形成し、他方端は前記握持部に近いところに凹槽を有する握持柄と、
二つの差込棒からなり、裏面に凸部を設け、前記把持柄の係合部に合わせて型槽が形成され、この型槽の上に斜槽が設けられ、この斜槽下部は、前記把持柄の係合柱に穿設される二つの通孔を設け、前記型槽の一端は、前記把持柄の凹槽に対応する凸点が固設される二股状の支承柄と、
を有し、前記握持柄と前記二股状の支承柄との組み合わせによって前記本体を形成し、二つの差込棒が前記モップに穿入した後、前記不織布は展開し、前記凸部により、前記モップの施力作用面を固定して、前記横線の入った粗面が、前記本体と前記モップとの装着時、或いは、モップの使用時に、手が滑るのを防止することを特徴とするハンディモップ。
【請求項２】
前記握持柄と前記二股状の支承柄の組み合わせが形成する前記本体は、不使用時に折り畳むことができ、販売時や収納時に、占める空間を減少させることを特徴とする請求項１に記載のハンディモップ。  
【考案の詳細な説明】
【技術分野】
【０００１】
本考案は、各種物品の除塵を払拭するのに適用する除塵モップで、特に、不規則な曲面の払拭に適し、二股型のハンディモップの取っ手は、店頭での販売時、或いは、不使用時、折り畳んで占有空間を減少させることが可能なハンディモップに関するものである。
【背景技術】
【０００２】
従来公知の清掃用具は、大部分がモップ（例えば、特開２００３−２８４６６０号公報に記載）によるものであるが、清掃後はモップを洗浄し、手への汚れを防止するために、手袋も着用しなければいけないので、非常に不便である。
【特許文献１】特開2003-284660
【考案の開示】
【考案が解決しようとする課題】
【０００３】
解決使用とする課題は、清掃後にモップの洗浄が不要で、手袋の着用も不要であり、取っ手のようなものを備えて、モップ部分は使い捨てが可能で、汚れたら、新しい除塵モップに取り替えできるハンディモップを提供することを目的とする。
【課題を解決するための手段】
【０００４】
前記目的を達成するため本考案によるハンディモップは、二層の不織布材料を畳合して熱溶融により固定し、本体に取り付けるための差込空間を備え、この差込空間の終点は封止されて、前記本体を差し込むとき、差込がそこで終了するようになっていて、前記熱溶融時、中央に対称に複数の開口を備え、この各開口間は不織布が連接し、その外周両側に、複数の切り込み体を形成したモップの基層と、
数段の繊維束により構成され、熱溶融により前記基層の下層に固定され、前記繊維束はもつれず、払拭するのが容易である複数の繊維ヒダと、
不織布からなり、熱溶融後、前記繊維ヒダの下層に固定され、両外側縁に複数の切り込み体を備えている払拭底層と、
握持部、横線の入った粗面、末端に吊掛用となる孔を設け、前記孔の反対側には、係合部を備え、この係合部の前端は係合柱を形成し、他方端は前記握持部に近いところに凹槽を有する握持柄と、
二つの差込棒からなり、裏面に凸部を設け、前記把持柄の係合部に合わせて型槽が形成され、この型槽の上に斜槽が設けられ、この斜槽下部は、前記把持柄の係合柱に穿設される二つの通孔を設け、前記型槽の一端は、前記把持柄の凹槽に対応する凸点が固設される二股状の支承柄と、
を有し、前記握持柄と前記二股状の支承柄との組み合わせによって前記本体を形成し、二つの差込棒が前記モップに穿入した後、前記不織布は展開し、前記凸部により、前記モップの施力作用面を固定して、前記横線の入った粗面が、前記本体と前記モップとの装着時、或いは、モップの使用時に、手が滑るのを防止することを特徴とする。
【考案の効果】
【０００５】
本考案によるハンディモップは、清掃後にモップの洗浄が不要で、手袋の着用も不要であり、清掃後は使い捨てが可能で、汚れたら、新しい除塵モップに取り替えでき、しかも不使用時には折り畳むことができ、販売時や収納時に、その占める空間を減少させることができる効果がある。
【考案を実施するための最良の形態】
【０００６】
以下、図面を参照して本考案の実施例を説明する。
【実施例】
【０００７】
図１、図２、図３及び図４は、各種物品の除塵に用いる、本考案の一実施例に係る二股型ハンディモップを示している。本考案の一実施例におけるモップ１の基層２は、二層の不織布材料を畳合してなり、熱溶融により固定されている。前記基層２は、本体に取り付けるための差込空間３を備え、その終点は封止されて、本体を差し込む時、差込がそこで終了するようになっている。前記基層２は、熱溶融時、中央に対称に複数の開口５を備え、各開口５間は不織布６が連接し、基層２外周両側に、複数の切り込み体７を形成する。
【０００８】
複数の繊維ヒダ８は、数段の繊維束により構成され、熱溶融により基層２下層に固定され、繊維ヒダの繊維束はもつれず、物品を払拭するのが容易である。
【０００９】
払拭底層９も不織布からなり、熱溶融後、繊維ヒダ８下層に固定され、払拭底層９両外側縁に複数の切り込み体１１を備えている。
【００１０】
握持柄１２（図５及び図６で示される）は、握持部１３、横線の入った粗面１４、末端に吊掛用となる孔１５を設ける。孔１５と反対側の握持柄１２には、係合部１６を備え、その前端は係合柱１７を形成し、もう一端は握持部１３に近いところに凹槽１８を有する。
【００１１】
二股状の支承柄１９は、二つの差込棒２０からなり、裏面に凸部２１を設け、二股状の支承柄１９は、係合部１６に合わせて型槽２２が形成されている。その上に斜槽２３が設けられ、二つの斜槽２３下部は、係合柱１７に穿接される二つの通孔２４を設置し、型槽２２の一端は、凹槽１８に対応する凸点２５が固設される。
【００１２】
握持柄１２と二股状の支承柄１９の組み合わせは、流線的で、且つ、実用的な本体２６を形成し、二つの差込棒２０(図８で示される)を、モップ１に穿入した後、不織布６は展開し、凸部２１により、モップ１の施力作用面が固定される。横線の入った粗面１４は、本体とモップの装着時、或いは、ハンディモップの使用時に、手が滑るのを防止する。
【００１３】
更に、握持柄１２と二股状の支承柄１９の組み合わせが形成する本体２６（図７を参照）は、不使用時に折り畳むことが出来、販売時や収納時に、占める空間を減少させることが出来る。
【００１４】
図２及び図４を参照すると、本考案の一実施例のハンディモップは、握持柄１２と二股状の支承柄１９の組み合わせは、流線的で、且つ、実用的な本体２６を形成し、二つの差込棒２０(図８で示される)を、モップ１に穿入した後、凸部２１により、モップ１の施力作用面が固定される。横線の入った粗雑面１４は、本体とモップの装着時、或いは、ハンディモップの使用時に、手が滑るのを防止する。
【００１５】
更に、握持柄１２と二股状の支承柄１９の組み合わせが形成する本体２６（図７を参照）は、不使用時に折り畳むことが出来、販売時や収納時に、占める空間を減少させることができる。
【００１６】
本考案の上記一実施例では、好ましい一例を開示したが、この実施例に限定されるものではなく、当該技術を熟知する者なら誰でも、本考案の精神と領域を脱しない範囲内で各種の変形を行うことができる。
【図面の簡単な説明】
【００１７】
【図１】本考案の一実施例を示すモップの分解図である。
【図２】本考案の一実施例のモップの立体図である。
【図３】本考案の一実施例のモップの側視図である。
【図４】本考案の一実施例のハンディモップを示す図である。
【図５】本考案の一実施例の本体を示す図である。
【図６】前記本体の分解図である。
【図７】本考案の一実施例のハンディモップの折り畳み状態を示す図である。
【図８】本考案の一実施例のモップが本体に装着された状態を示す図である。
【符号の説明】
【００１８】
１…モップ
２…基層
３…差込空間
４…封止状
５…複数の開口
６…不織布
７…複数の切り込み体
８…複数の繊維ヒダ
９…払拭底層
１１…切り込み体
１２…握持柄
１３…握持部
１４…横線の入った粗面
１５…吊掛用となる孔
１６…係合部
１７…係合柱
１８…凹槽
１９…二股状の支承柄
２０…二つの差込棒
２１…凸部
２２…型槽
２３…斜槽
２４…二つの通孔
２５…凸点
２６…本体
代理人  弁理士    伊藤  進
【図１】
0003103720.tif 000003
【図２】
0003103720.tif 000004
【図３】
0003103720.tif 000005
【図４】
0003103720.tif 000006
【図５】
0003103720.tif 000007
【図６】
0003103720.tif 000008
【図７】
0003103720.tif 000009
【図８】
0003103720.tif 000010